(57)【要約】      （修正有）【課題】カメラを備える蓄電池装置において、従来例のように設計段階での筐体の外形大型化、ならびに重量増大を回避しながら、状況に応じて蓄電容量を増加可能にしてカメラの使用時間を可及的に長くできる蓄電池装置を提供する。【解決手段】蓄電池ユニット２と制御ユニット３とが分離可能に連結されている。制御ユニット３の筐体には、その周囲を撮影するためのカメラ５Ａが設置されている。蓄電池ユニット２は、それと同一外形の新たな蓄電池ユニット２Ａが機械的かつ電気的に連結されるように構成されている。【選択図】図７
0003199853.tif 000002
【実用新案登録請求の範囲】
【請求項１】
複数個の二次電池から構成される蓄電池ユニットと、この蓄電池ユニットへの充電処理または前記蓄電池ユニットからの給電処理を制御する制御ユニットとを備え、
前記蓄電池ユニットと前記制御ユニットとは、分離可能に連結されており、
前記制御ユニットの筐体には、その周囲を撮影するためのカメラが設置されており、
前記蓄電池ユニットは、それと同一外形の新たな蓄電池ユニットが機械的かつ電気的に連結されるように構成されている、ことを特徴とする蓄電池装置。
【請求項２】
請求項１に記載の蓄電池装置において、
前記制御ユニットは、前記蓄電池ユニットの上側に取り付けされており、
前記制御ユニットの筐体の下面と前記蓄電池ユニットの上面とには、それらを機械的に位置決めして結合するための凸部と凹部とが振り分けて設けられているとともに、電気的に接続するためのメスコネクタとオスコネクタとが振り分けて設けられている、ことを特徴とする蓄電池装置。
【請求項３】
請求項１または２に記載の蓄電池装置において、
前記蓄電池ユニットの下面には、移動を可能とするための車輪が設置されている、ことを特徴とする蓄電池装置。
【考案の詳細な説明】
【技術分野】
【０００１】
本考案は、カメラを備える蓄電池装置に関する。
【背景技術】
【０００２】
近年においては、太陽光や風力などの自然エネルギーを利用して発電し、当該発電した電力を蓄電池に蓄電することがいろいろ考えられている。
【０００３】
例えば公民館やイベント会場などのような場所では、電源を必要とする場合があり、そのような場合に前記蓄電池に蓄えた電力を有効利用することが考えられる。
【０００４】
本願考案者は、前記蓄電池に蓄えている電力をさらに何か他の事に有効利用できないかを検討したところ、前記蓄電池の筐体にカメラなどの撮影手段を設置して、例えば前記公民館やイベント会場などでの人の動きを監視することを考えた。
【０００５】
このような技術思想は、例えば特許文献１に提示されている。この特許文献１の場合には、前記撮影手段の使用時間が長引くと、前記蓄電池の容量が不足することが考えられる。これに対しては、例えば特許文献２に示されているように、前記撮影手段を備えていないが、設計段階において前記蓄電池の筐体に対する蓄電池の設置数を可及的に多くしていることが記載されている。
【先行技術文献】
【特許文献】
【０００６】
【特許文献１】特開２００９−２８４４１８号公報
【特許文献２】特開２０１４−３８４６号公報（特に図２参照）
【考案の概要】
【考案が解決しようとする課題】
【０００７】
しかしながら、上記特許文献２のような場合には、設計段階での筐体の外形が大型化するとともに重量が増大することが懸念される。
【０００８】
このような事情に鑑み、本考案は、カメラを備える蓄電池装置において、従来例のように設計段階での筐体の外形大型化、ならびに重量増大を回避しながら、状況に応じて蓄電容量を増加可能にして前記カメラの使用時間を可及的に長くできるようにすることを目的としている。
【課題を解決するための手段】
【０００９】
本考案に係る蓄電池装置は、複数個の二次電池から構成される蓄電池ユニットと、この蓄電池ユニットへの充電処理または前記蓄電池ユニットからの給電処理を制御する制御ユニットとを備え、前記蓄電池ユニットと前記制御ユニットとは、分離可能に連結されており、前記制御ユニットの筐体には、その周囲を撮影するためのカメラが設置されており、前記蓄電池ユニットは、それと同一外形の新たな蓄電池ユニットが機械的かつ電気的に連結されるように構成されている、ことを特徴としている。
【００１０】
この構成では、前記蓄電池に蓄えた電力を外部に給電可能としているので、適宜の場所での電源として有効利用することが可能であるとともに、前記筐体に設置しているカメラで当該筐体周囲を撮影することが可能である。
【００１１】
しかも、前記電源ならびに前記カメラの使用に伴う電力消費を考慮し、必要に応じて前記蓄電池ユニットを増設することが可能になっているので、従来例のように設計段階での筐体の外形大型化、ならびに重量増大を回避しながら、前記カメラの使用時間を可及的に長くできるようになる。このように、いろいろな機能が付加された使い勝手の良い蓄電池装置を提供できる。
【００１２】
ところで、前記制御ユニットは、前記蓄電池ユニットの上側に取り付けされており、前記制御ユニットの筐体の下面と前記蓄電池ユニットの上面とには、それらを機械的に位置決めして結合するための凸部と凹部とが振り分けて設けられているとともに、電気的に接続するためのメスコネクタとオスコネクタとが振り分けて設けられている、構成とすることができる。
【００１３】
この構成では、前記制御ユニットと前記蓄電池ユニットとを機械的かつ電気的に結合する作業を比較的簡単に行うことが可能になる。
【００１４】
また、前記蓄電池ユニットの下面には、移動を可能とするための車輪が設置することができる。この構成では、本考案に係る蓄電池装置の移動が簡易に行うことが可能になる。
【考案の効果】
【００１５】
本考案に係る蓄電池装置は、従来例のように設計段階での筐体の外形大型化、ならびに重量増大を回避しながら、状況に応じて蓄電容量を増加可能にして前記カメラの使用時間を可及的に長くすることが可能になる。
【図面の簡単な説明】
【００１６】
【図１】本考案に係る蓄電池装置の一実施形態を示す正面図である。
【図２】図１の蓄電池装置の側面図である。
【図３】図２の蓄電池装置の上面図である。
【図４】図１から図３の蓄電池装置の斜視図である。
【図５】図４において蓄電池ユニットと制御ユニットとを分離した状態を示す斜視図である。
【図６】図１の蓄電池装置において新たな蓄電池ユニットを増設した状態を示す正面図である。
【図７】図６において既存の蓄電池ユニットと制御ユニットと新たな蓄電池ユニットとを分離した状態を示す斜視図である。
【考案を実施するための形態】
【００１７】
以下、本考案を実施するための最良の実施形態について添付図面を参照して詳細に説明する。
【００１８】
図１から図７に、本考案の一実施形態を示している。図中、１は蓄電池装置の全体を示している。この蓄電池装置１は、蓄電池ユニット２の上側に制御ユニット３を積層した構成である。
【００１９】
蓄電池ユニット２は、例えば不図示の太陽電池パネルなどの電力発生源で発生した電力を調整（昇圧）後に蓄えるものである。この蓄電池ユニット２は、金属製または合成樹脂製の扁平な箱型の筐体２ａの内部に、不図示のリン酸鉄リチウムイオン電池などを収納した構成になっている。なお、前記リン酸鉄リチウムイオン電池は、カーボンを混入して加熱抑制を図る構成になっている。
【００２０】
そして、蓄電池ユニット２の筐体２１の側面には、前記電力発生源からの電力入力端子が接続される入力端子２２、ならびに商用電源からの交流電源（ＡＣ１００Ｖ）を蓄電池ユニット２に充電するためのＡＣ入力端子２３などが設置されている。この筐体２１の側面には、入力端子２２およびＡＣ入力端子２３を隠蔽または露呈するための開閉蓋２４が設けられている。
【００２１】
また、蓄電池ユニット２の筐体２１の底面には、４つの車輪６１を備える台車６が着脱可能に取り付けられており、蓄電池装置１を簡易に移動させることが可能になっている。
【００２２】
制御ユニット３は、前記電力発生源としての太陽電池パネルで発生する電力（ＤＣ１．５Ｖ）を調整（昇圧）して蓄電池ユニット２に蓄積する充電処理、蓄電池ユニット２に蓄積している電力を家庭用交流電源（ＡＣ１００Ｖ）に変換して出力する給電処理などを実行するものである。
【００２３】
この制御ユニット３は、金属製または合成樹脂製の扁平な箱型の筐体３１の内部に、不図示の各種電子部品を実装した基盤を収納した構成になっている。
【００２４】
前記電子部品としては、予め各種の実行プログラムが記憶されたＲＯＭ（Read Only Memory）、当該ＲＯＭに予め記憶された各種の実行プログラムにより各ハードウエアの動作を制御するためのＣＰＵ（Central Processing Unit）、下記モニタ４に対する蓄電量などの表示情報を適宜更新しながら記憶するＲＡＭ（Random Access Memory）、前記太陽電池パネルで発生する電力（ＤＣ１．５Ｖ）を例えばＤＣ１２Ｖに調整（昇圧）する昇圧回路、当該ＤＣ１２Ｖを家庭用交流電源（ＡＣ１００Ｖ）に変換するためのＤＣ-ＡＣ変換器、携帯電話やパーソナルコンピュータなどの外部通信手段と無線ＬＡＮなどを介した通信を行うための通信手段などが挙げられる。
【００２５】
そして、制御ユニット３の筐体３１の上面には、例えば蓄電量、電力使用量、現在日時などの情報（文字、記号、映像）を表示するためのモニタ４が設置されている。このモニタ４は、例えば公知のタッチパネルなどとされていて、前記情報を表示するとともに、表示される情報を指先でタッチすることにより前記情報の表示を指定することが可能になっている。
【００２６】
また、制御ユニット３の筐体３１の側面には、ＡＣ出力端子としてのコンセント３２が設けられている。このコンセント３２は、前記ＤＣ-ＡＣ変換器により変換された家庭用交流電源（ＡＣ１００Ｖ）を出力するためのものである。この筐体３１の側面には、コンセント３２を隠蔽または露呈するための開閉蓋３３が設けられている。
【００２７】
さらに、制御ユニット３の筐体３１の前面および後面には、蓄電池装置１の周囲を撮影することを可能とするためのカメラ（撮影手段）５Ａ，５Ｂが設置されている。このように、筐体３１の前後にカメラ５Ａ，５Ｂを設置していれば、例えばイベント会場などで入出通路に配置すれば、入る人と出る人とを監視することが可能になるなど、管理を行ううえで便利になる。
【００２８】
上記したように制御ユニット３に前記通信手段を装備しているので、例えば蓄電池装置１から離れた遠隔地において前記外部通信手段を操作することにより蓄電池装置１の充電処理および給電処理、カメラ５Ａ，５Ｂによる撮影処理などを制御することができる。
【００２９】
ところで、上記蓄電池ユニット２と制御ユニット３は、分離可能に連結されている。具体的に、図５に示されているように、蓄電池ユニット２の上面には、位置決め用の棒状の凸部２５と、メスコネクタ２６とが設けられており、また、制御ユニット３の下面には、前記凸部２５が嵌合される溝状の凹部３４と、前記メスコネクタ２６が結合されるオスコネクタ３５とが設けられている。
【００３０】
つまり、蓄電池ユニット２の凸部２５と制御ユニット３の凹部３４とを嵌合すると、それに伴いメスコネクタ２６とオスコネクタ３５とが位置決めされた状態になって結合されるようになっている。このように、蓄電池ユニット２と制御ユニット３とを比較的簡単に機械的かつ電気的に連結できるようになっている。
【００３１】
そして、上記した蓄電池装置１では、従来例のように蓄電容量が設計段階で固定されておらずに、１つの蓄電池ユニット２を備える構成を基本として、要求される蓄電容量に応じて前記蓄電池ユニット２と同一外形でかつ同一仕様（あるいは充電容量が相違する仕様）の新たな蓄電池ユニット２Ａを１つ、２つ、あるいはそれ以上増設できるように構成されている。
【００３２】
この実施形態では、図６に示すように、既設の蓄電池ユニット２と制御ユニット３との間に、新たな蓄電池ユニット２Ａを増設できるように構成されている。
【００３３】
具体的に、図７に示すように、新たな蓄電池ユニット２Ａの上面には、位置決め用の棒状の凸部２５と、メスコネクタ２６とが設けられており、新たな蓄電池ユニット２Ａの下面には、前記凸部２５が嵌合される溝状の凹部２７と、前記メスコネクタ２６が結合されるオスコネクタ２８とが設けられている。
【００３４】
ここで、新たな蓄電池ユニット２Ａを増設するには、既設の蓄電池ユニット２と制御ユニット３とを分離しておいて、既設の蓄電池ユニット２の上に新たな蓄電池ユニット２Ａを搭載して既設の蓄電池ユニット２の凸部２５に新たな蓄電池ユニット２Ａの凹部２７を嵌合すれば、既設の蓄電池ユニット２のメスコネクタ２６に新たな蓄電池ユニット２Ａのオスコネクタ２８を位置決めした状態で結合することができる。
【００３５】
この後、新たな蓄電池ユニット２Ａの上に制御ユニット３を搭載して新たな蓄電池ユニット２Ａの凸部２５に制御ユニット３の凹部３４を嵌合すれば、新たな蓄電池ユニット２Ａのメスコネクタ２６に制御ユニット３のオスコネクタ３５を位置決めした状態で結合することができる。
【００３６】
以上説明したように、本考案を適用した実施形態に係る蓄電池装置１では、従来例のように設計段階での筐体の外形大型化、ならびに重量増大を回避しながら、状況に応じて蓄電容量を増加可能にしてカメラ５Ａ，５Ｂの使用時間を可及的に長くすることが可能になる。
【００３７】
なお、本考案は、上記実施形態のみに限定されるものではなく、実用新案登録請求の範囲内および当該範囲と均等の範囲内で適宜に変更することが可能である。
【００３８】
（１）上記実施形態では、制御ユニット３の筐体３１の前面および後面にそれぞれカメラ５Ａ，５Ｂを設置した例を挙げているが、本考案はこれのみに限定されるものではなく、その設置場所は特に限定されるものではない。
【００３９】
（２）上記実施形態では、既設の蓄電池ユニット２と制御ユニット３との間に新たな蓄電池ユニット２Ａを増設する例を挙げているが、本考案はこれのみに限定されるものではなく、例えば既設の蓄電池ユニット２の下側に新たな蓄電池ユニット２Ａを増設することも可能である。その場合には、既設の蓄電池ユニット２から台車６を取り外して、この台車１０を新たな蓄電池ユニット２Ａの下面に取り付ければよい。
【産業上の利用可能性】
【００４０】
本考案は、カメラを備える蓄電池装置に好適に利用することが可能である。
【符号の説明】
【００４１】
１    蓄電池装置
２    既設の蓄電池ユニット
２Ａ  増設用の新たな蓄電池ユニット
２１  筐体
２２  入力端子
２３  ＡＣ入力端子
２４  開閉蓋
２５  凸部
２６  メスコネクタ
２７  凹部
２８  オスコネクタ
３    制御ユニット
３１  筐体
３２  コンセント
３３  開閉蓋
３４  凹部
３５  オスコネクタ
４    モニタ
５Ａ  前側のカメラ
５Ｂ  後側のカメラ
６    台車
６１  車輪
【図１】
0003199853.tif 000003
【図２】
0003199853.tif 000004
【図３】
0003199853.tif 000005
【図４】
0003199853.tif 000006
【図５】
0003199853.tif 000007
【図６】
0003199853.tif 000008
【図７】
0003199853.tif 000009